(57)【要約】【課題】封印作業が容易なスマートメータの封印具を提供する。【解決手段】封印具１０は、カバー９２を覆う天板１１と一組の脚片１２ａ・１２ｂを備える。又、封印具１０は、カバー９２の上面に当接する第１台座片１３と第２台座片１４を備える。第１台座片１３は、第１切り欠き部１３ｄを有する。第２台座片１４は、第２切り欠き部１４ｄと開口１４ｈを有する。第１切り欠き部１３ｄは、先端縁から一方の雄ねじ９ｍｓの首部を導入できる。第２切り欠き部１４ｄは、側縁から他方の雄ねじ９ｍｓの首部を導入できる。開口１４ｈには、他方の雄ねじ９ｍｓの頭部に挿通した封印ワイヤ８２の両端部を通過できる。封印鉛８３を用いて、封印ワイヤ８２の両端部を圧着することで、開口１４ｈを通過した封印ワイヤ８２の両端部は、戻り困難に封印されている。【選択図】図３
2020016580.tif 000002
【特許請求の範囲】
【請求項１】
外殻を構成する箱状の本体、この本体の端部に配置した端子部を覆うカバー、及び、このカバーの両端部に配置され、前記カバーを前記本体に着脱自在に固定できる一対の封印用の雄ねじを備えたスマートメータの前記カバーが不正に開放されることを回避できるスマートメータの封印具であって、
前記カバーの中央部を横断自在に配置され、前記カバーの中央部を上面側から覆う帯状の天板と、
前記天板の両端部をＬ字状に屈曲した一組の脚片と、
一方の前記脚片の端部をＬ字状に屈曲し、前記天板の一端側と対向配置されると共に、前記カバーの一端側の上面に当接できる第１台座片と、
他方の前記脚片の端部をＬ字状に屈曲し、前記第１台座片が延在する方向と同じ方向に延在すると共に、前記カバーの他端部側の上面に当接できる第２台座片と、を備え、
前記第１台座片は、先端縁から開口すると共に、一方の前記脚片に向って切り欠かれ、僅かに弛緩した一方の前記雄ねじの首部を導入できる第１切り欠き部を有し、
前記第２台座片は、
一方の側縁から開口すると共に、他方の側縁に向って切り欠かれ、僅かに弛緩した他方の前記雄ねじの首部を導入できる第２切り欠き部と、
他方の前記雄ねじの頭部に挿通した封印ワイヤの両端部が通過できる開口と、を有し、
前記開口を通過した前記封印ワイヤの両端部は、戻り困難に封印されている、スマートメータの封印具。
【請求項２】
一方の前記雄ねじを中心に旋回でき、他方の前記雄ねじの首部を外周方向から前記第２切り欠き部に導入できる、請求項１記載のスマートメータの封印具。
【請求項３】
前記第２台座片は、前記開口を形成した部分が前記カバーの側面から延出している、請求項１又は２記載のスマートメータの封印具。
【請求項４】
一方の前記雄ねじは、操作困難に前記天板で覆われている、請求項１から３のいずれかに記載のスマートメータの封印具。
【発明の詳細な説明】
【技術分野】
【０００１】
本発明は、スマートメータの封印具に関する。特に、スマートメータの端子部を覆うカバーが不正に開放されることを回避できるスマートメータの封印具であって、封印作業が容易なスマートメータの封印具の構造に関する。
【背景技術】
【０００２】
電力の自由化などに伴って、従来のアナログ式誘導型電力量計に替えて、電力をデジタルで計測し、メータの内部に通信機能をもたせた電子式電力量計、いわゆる、スマートメータが電力需要者に対して設置されるようになっている。
【０００３】
図５は、一例によるスマートメータの構成を示す斜視図である。図６は、一例によるスマートメータの構成を示す斜視分解組立図である。
【０００４】
図５又は図６を参照すると、スマートメータ（以下、ＳＭという）９は、箱状の本体９１とカバー９２を備えている。本体９１は、ＳＭ９の外殻を構成している。カバー９２は、本体９１の大部分を前面から着脱自在に覆っている。
【０００５】
図５又は図６を参照すると、本体９１は、端子部９１ｔと計測部９１ｍを含んでいる。又、本体９１は、表示部９１ｄと通信部９１ｃを含んでいる。端子部９１ｔは、図示しない電力ケーブルの端末が電気的に接続できる複数のねじ端子Ｔｓを有している（図６参照）。カバー９２は、図示しない電力ケーブルを端子部９１ｔに導入可能に、外壁の一部を切り欠いた切り欠き部９２１を有している。
【０００６】
図６を参照すると、計測部９１ｍは、本体９１の内部に配置されている。計測部９１ｍは、需要者が消費した電力使用量をデジタル処理によって計測する機能を有している。図５又は図６を参照すると、表示部９１ｄは、計測部９１ｍの計測結果である電力使用量を示す情報を表示パネル９１ｐ（例えばＬＣＤパネル）に表示する機能を有している。
【０００７】
図６を参照すると、通信部９１ｃは、端子部９１ｔのねじ端子Ｔｓを覆う状態で設置されている。通信部９１ｃは、例えば、当該電力使用量の計測結果を外部の通信機器に送信できる。
【０００８】
図５又は図６を参照して、ＳＭ９は、カバー９２の切り欠き部９２１が下側を向いた状態で、本体９１の背面が例えば、需要者宅の外壁に取り付けられている。
【０００９】
図５又は図６を参照すると、ＳＭ９は、一組の封印用の雄ねじ９ｍｓ・９ｍｓを更に備えている。一方、本体９１は、一組の雌ねじ部９ｆｓ・９ｆｓを両隅部に螺設している。雌ねじ部９ｆｓは、雄ねじ９ｍｓのねじ部と螺合できる。一組の雄ねじ９ｍｓ・９ｍｓを用いて、カバー９２を本体９１に固定できる。
【００１０】
図５又は図６を参照すると、雄ねじ９ｍｓは、外周方向に貫通する挿通孔を頭部に開口している。一組の雄ねじ９ｍｓ・９ｍｓを用いて、カバー９２を本体９１に固定した状態で（図５参照）、一組の雄ねじ９ｍｓ・９ｍｓの頭部の挿通孔に封印ワイヤ（図示せず）を挿通し、封印ワイヤ（図示せず）を張設した状態で、封印ワイヤ（図示せず）の両端部を封印鉛などで圧着することで、カバー９２を封印できる。
【００１１】
しかし、図５を参照すると、左右に離れた封印用の雄ねじ９ｍｓ・９ｍｓの頭部に封印ワイヤ（図示せず）を挿通することは、作業性が良くないという不具合がある。左右に離れた封印用の雄ねじ９ｍｓ・９ｍｓの間に封印ワイヤ（図示せず）を張設することは、容易でないという不具合がある。
【００１２】
このように、従来技術によるスマートメータの封印作業は、上記した不具合があったので、封印作業を実施するときの作業効率を向上させるスマートメータの封印具が開示されている（例えば、特許文献１参照）。
【先行技術文献】
【特許文献】
【００１３】
【特許文献１】特開２０１８−４０６０６号公報
【発明の概要】
【発明が解決しようとする課題】
【００１４】
図７は、従来技術による封印具が取り付けられた一例によるスマートメータの構成を示す斜視図である。図８は、図７の要部を拡大した斜視図であり、図８（Ａ）は、一例によるスマートメータの他方の端部に従来技術による封印具を取り付けた状態図、図８（Ｂ）は、一例によるスマートメータの一方の端部に従来技術による封印具を取り付けた状態図である。
【００１５】
なお、本願の図７は、特許文献１の図５に相当している。又、本願の図８（Ａ）と図８（Ｂ）は、特許文献１の図６Ａと図６Ｂに相当している。更に、本願の図５と図６は、特許文献１の図１と図２に相当している。
【００１６】
図７又は図８を参照すると、従来技術による封印具８は、ＳＭ９に対する不正操作を回避することを目的としている。封印具８は、カバー９２を本体９１に固定する封印用の一対の雄ねじ９ｍｓ・９ｍｓを封印できる。
【００１７】
図７又は図８を参照すると、封印具８は、封印用の一対の雄ねじ９ｍｓ・９ｍｓと一組のアングル部材８１・８１を備えている。又、封印具８は、一組の封印ワイヤ８２・８２と一組の亀甲型の封印鉛８３・８３を備えている。
【００１８】
図８を参照すると、雄ねじ９ｍｓは、外周方向に貫通する挿通孔９ｍｈを頭部に開口している。挿通孔９ｍｈには、封印ワイヤ８２を挿通できる。アングル部材８１は、その一片８１１をカバー９２の端部の上面に当接できる。又、アングル部材８１は、その他片８１２をカバー９２の端部の側面に当接できる。
【００１９】
図８を参照すると、アングル部材８１の一片８１１は、大径穴と小径穴が連続したダルマ穴８１ｈを開口している。ダルマ穴８１ｈの大径穴には、雄ねじ９ｍｓの頭部を導入できる。雄ねじ９ｍｓの頭部をダルマ穴８１ｈの大径穴に導入後に、雄ねじ９ｍｓを弛めることで、ダルマ穴８１ｈの小径穴に雄ねじ９ｍｓの首部を導入できる。
【００２０】
図８を参照すると、アングル部材８１の一片８１１は、半円弧状のアーチ８１ａを立設している。アーチ８１ａは、ダルマ穴８１ｈの近傍に配置されている。アーチ８１ａの内部には、封印ワイヤ８２を挿通できる。封印鉛８３は、その側面から封印ワイヤ８２の端末を挿通後に面方向に圧着することで、封印ワイヤ８２の両端部を固定できる。
【００２１】
次に、従来技術による封印具８の取り付け方法を説明する。最初に、封印用の雄ねじ９ｍｓがカバー９２を本体９１に固定した状態で（図５参照）、アングル部材８１の一片８１１をカバー９２の端部の上面に向って移動し、雄ねじ９ｍｓの頭部をダルマ穴８１ｈの大径穴に導入する。次に、雄ねじ９ｍｓを弛めて、アングル部材８１の一片８１１をカバー９２の上面に沿ってスライドすることで、ダルマ穴８１ｈの小径穴に雄ねじ９ｍｓの首部を導入できる（図８参照）。
【００２２】
次に、図８を参照して、雄ねじ９ｍｓを本体９１に締結することで、アングル部材８１をカバー９２の端部に固定できる。この場合、アングル部材８１の他片８１２をカバー９２の端部の側面に当接しておくことが好ましい。
【００２３】
次に、図８を参照して、雄ねじ９ｍｓの挿通孔９ｍｈに封印ワイヤ８２を挿通し、アーチ８１ａの内部に封印ワイヤ８２を挿通する。次に、封印鉛８３を用いて、封印ワイヤ８２の両端部を圧着することで、ＳＭ９に対する封印具８の取り付け作業を完了できる。
【００２４】
特許文献１による封印具８は、電力会社の作業員がスマートメータの正面と対面することが難しい狭い場所であっても、封印具８をスマートメータに効率よく取り付けることができる、としている。特許文献１による封印具８は、スマートメータの片側に取り付けるだけでもよい、としている。
【００２５】
しかし、特許文献１による封印具８は、電力会社の作業員がスマートメータの正面と対面することが容易な場所においては、スマートメータの左右の２カ所に封印具８を取り付ける必要があるので、多くの作業時間を要するという問題がある。スマートメータの左右の２カ所を封印することなく、封印作業が容易なスマートメータの封印具が求められている。そして、以上のことが本発明の課題といってよい。
【００２６】
本発明は、このような課題に鑑みてなされたものであり、スマートメータの左右の２カ所を封印することなく、封印作業が容易なスマートメータの封印具を提供することを目的とする。
【課題を解決するための手段】
【００２７】
本発明者は、一端側は一方の封印用の雄ねじの頭部を覆い、他端側は他方の封印用の雄ねじの頭部との干渉を避ける形状に封印具を構成すると共に、封印具の他端には、他方の封印用の雄ねじを係留した封印ワイヤが挿通できる開口を設けることで、スマートメータの左右の２カ所を封印することなく、１カ所でカバーを封印できると考え、これに基づいて、以下のような新たなスマートメータの封印具を発明するに至った。
【００２８】
（１）本発明によるスマートメータの封印具は、外殻を構成する箱状の本体、この本体の端部に配置した端子部を覆うカバー、及び、このカバーの両端部に配置され、前記カバーを前記本体に着脱自在に固定できる一対の封印用の雄ねじを備えたスマートメータの前記カバーが不正に開放されることを回避できるスマートメータの封印具であって、前記カバーの中央部を横断自在に配置され、前記カバーの中央部を上面側から覆う帯状の天板と、前記天板の両端部をＬ字状に屈曲した一組の脚片と、一方の前記脚片の端部をＬ字状に屈曲し、前記天板の一端側と対向配置されると共に、前記カバーの一端側の上面に当接できる第１台座片と、他方の前記脚片の端部をＬ字状に屈曲し、前記第１台座片が延在する方向と同じ方向に延在すると共に、前記カバーの他端部側の上面に当接できる第２台座片と、を備え、前記第１台座片は、先端縁から開口すると共に、一方の前記脚片に向って切り欠かれ、僅かに弛緩した一方の前記雄ねじの首部を導入できる第１切り欠き部を有し、前記第２台座片は、一方の側縁から開口すると共に、他方の側縁に向って切り欠かれ、僅かに弛緩した他方の前記雄ねじの首部を導入できる第２切り欠き部と、他方の前記雄ねじの頭部に挿通した封印ワイヤの両端部が通過できる開口と、を有し、前記開口を通過した前記封印ワイヤの両端部は、戻り困難に封印されている。
【００２９】
（２）本発明によるスマートメータの封印具は、一方の前記雄ねじを中心に旋回でき、他方の前記雄ねじの首部を外周方向から前記第２切り欠き部に導入できることが好ましい。
【００３０】
（３）前記第２台座片は、前記開口を形成した部分が前記カバーの側面から延出していることが好ましい。
【００３１】
（４）一方の前記雄ねじは、操作困難に前記天板で覆われていることが好ましい。
【発明の効果】
【００３２】
本発明によるスマートメータの封印具は、本体の端部に配置した端子部を覆うカバーを本体に固定できる一対の封印用の雄ねじに架橋でき、一端側は、一方の封印用の雄ねじの頭部を覆い、他端側は、他方の封印用の雄ねじの頭部との干渉を避ける形状に封印具を構成すると共に、封印具の他端には、他方の封印用の雄ねじを係留した封印ワイヤが戻り困難に挿通できる開口を設けているので、スマートメータの左右の２カ所を封印することなく、１カ所でカバーを封印できる。
【図面の簡単な説明】
【００３３】
【図１】本発明の一実施形態によるスマートメータの封印具の構成を示す斜視図であり、封印具を封印する前の状態図である。
【図２】前記実施形態によるスマートメータの封印具の構成を示す斜視図であり、図２（Ａ）は、封印具を上面側から観た状態図、図２（Ｂ）は、封印具を下面側から観た状態図である。
【図３】前記実施形態によるスマートメータの封印具の構成を示す斜視図であり、封印具を封印した状態図である。
【図４】図３の要部を拡大した斜視図であり、図４（Ａ）は、他方の封印用の雄ねじ具を封印した状態図、図４（Ｂ）は、一方の封印用の雄ねじ具を天板で覆った状態図である。
【図５】一例によるスマートメータの構成を示す斜視図である。
【図６】一例によるスマートメータの構成を示す斜視分解組立図である。
【図７】従来技術による封印具が取り付けられた一例によるスマートメータの構成を示す斜視図である。
【図８】図７の要部を拡大した斜視図であり、図８（Ａ）は、一例によるスマートメータの他方の端部に従来技術による封印具を取り付けた状態図、図８（Ｂ）は、一例によるスマートメータの一方の端部に従来技術による封印具を取り付けた状態図である。
【発明を実施するための形態】
【００３４】
以下、図面を参照して本発明を実施するための形態を説明する。
【００３５】
［スマートメータの封印具の構成］
次に、本発明の一実施形態によるスマートメータの封印具の構成を説明する。
【００３６】
なお、本発明による封印具が適用されるスマートメータは、一例によるスマートメータを用いて説明するが、これに限定されない。又、従来技術で付した符号と同じ符号を付した構成品は、作用を同じにするので説明を省略する場合がある。
【００３７】
図１から図４を参照すると、本発明の一実施形態によるスマートメータの封印具（以下、封印具と略称する）１０は、外殻を構成する箱状の本体９１、本体９１の端部に配置した端子部９１ｔを覆うカバー９２、及び、カバー９２の両端部に配置され、カバー９２を本体９１に着脱自在に固定できる一対の封印用の雄ねじ９ｍｓを備えたスマートメータ９のカバー９２が不正に開放されることを回避できる。
【００３８】
図１から図４を参照すると、封印具１０は、帯状の天板１１と一組の脚片１２ａ・１２ｂを備えている。又、封印具１０は、第１台座片１３と第２台座片１４を備えている。
【００３９】
図１又は図３を参照すると、天板１１は、カバー９２の中央部を横断自在に配置されている。又、天板１１は、カバー９２の中央部を上面Ｓｔ側から覆っている。一組の脚片１２ａ・１２ｂは、天板１１の両端部をＬ字状に屈曲している（図２参照）。
【００４０】
図１から図４を参照すると、第１台座片１３は、一方の脚片１２ａの端部をＬ字状に屈曲している。第１台座片１３は、天板１１の一端側と対向配置されている。又、第１台座片１３は、カバー９２の一端部Ｓａ側の上面Ｓｔに当接できる。
【００４１】
図１から図４を参照すると、第２台座片１４は、他方の脚片１２ｂの端部をＬ字状に屈曲している。第２台座片１４は、第１台座片１３が延在する方向と同じ方向に延在している。又、第２台座片１４は、カバー９２の他端部Ｓｂ側の上面Ｓｔに当接できる。
【００４２】
図２又は図４（Ｂ）を参照すると、第１台座片１３は、第１切り欠き部１３ｄを有している。第１切り欠き部１３ｄは、先端縁から開口すると共に、一方の脚片１２ａに向って切り欠かれている。図４（Ｂ）を参照して、一方の雄ねじ９ｍｓを僅かに弛緩した状態では、一方の雄ねじ９ｍｓの首部を第１切り欠き部１３ｄに導入できる。
【００４３】
図２又は図４（Ａ）を参照すると、第２台座片１４は、第２切り欠き部１４ｄと円形の開口１４ｈを有している。第２切り欠き部１４ｄは、一方の側縁から開口すると共に、他方の側縁に向って切り欠かれている。図４（Ａ）を参照して、他方の雄ねじ９ｍｓを僅かに弛緩した状態では、他方の雄ねじ９ｍｓの首部を第２切り欠き部１４ｄに導入できる。
【００４４】
図４（Ａ）を参照すると、開口１４ｈには、他方の雄ねじ９ｍｓの頭部に挿通した封印ワイヤ８２の両端部を通過できる。そして、封印鉛８３を用いて、封印ワイヤ８２の両端部を圧着することで、開口１４ｈを通過した封印ワイヤ８２の両端部は、戻り困難に封印されている。
【００４５】
図１から図４を参照すると、実施形態による封印具１０は、本体９１の端部に配置した端子部９１ｔを覆うカバー９２を本体９１に固定できる一対の封印用の雄ねじ９ｍｓ・９ｍｓに架橋でき、一端側は、一方の封印用の雄ねじ９ｍｓの頭部を覆い、他端側は、他方の封印用の雄ねじ９ｍｓの頭部との干渉を避ける形状に封印具１０を構成すると共に、封印具１０の他端には、他方の封印用の雄ねじ９ｍｓを係留した封印ワイヤ８２が戻り困難に挿通できる開口１４ｈを設けているので、スマートメータ９の左右の２カ所を封印することなく、１カ所でカバー９２を封印できる。
【００４６】
［スマートメータの封印具の作用］
次に、実施形態による封印具１０の構成を補足すると共に、封印具１０の取り付け方法を説明しながら、封印具１０の作用及び効果を説明する。
【００４７】
図２を参照して、封印具１０は、帯板状の金属製の展開板を折り曲げ加工して、所望の形状の封印具を得ることができる。又、封印具１０は、合成樹脂を成形して、所望の形状の封印具を得ることもできる。
【００４８】
図１又は図３を参照すると、封印具１０は、その長手方向を端子部９１ｔが露出する方向と略平行に配置し、第１台座片１３をカバー９２の一端部Ｓａ側の上面Ｓｔにスライドすることで、第１切り欠き部１３ｄを一方の雄ねじ９ｍｓの首部に導入できる（図４（Ｂ）参照）。次に、封印具１０は、一方の雄ねじ９ｍｓを中心に旋回でき（図４（Ｂ）参照）、他方の雄ねじ９ｍｓの首部を外周方向から第２切り欠き部１４ｄに導入できる（図４（Ａ）参照）。
【００４９】
図４（Ａ）を参照すると、第２台座片１４は、開口１４ｈを形成した部分がカバー９２の側面から延出しているので、封印ワイヤ８２を容易に挿通できる。図１又は図３及び図４（Ｂ）を参照すると、一方の雄ねじ９ｍｓは、天板１１で覆われているので、ドライバーなどで一方の雄ねじ９ｍｓを操作することが困難である。
【００５０】
次に、封印具１０の取り付け方法を説明する。最初に、図１又は図３及び図４（Ｂ）を参照して、一方の雄ねじ９ｍｓを僅かに弛緩する。次に、天板１１の長手方向を端子部９１ｔが露出する方向と略平行に配置し、第１台座片１３をカバー９２の一端部Ｓａ側の上面Ｓｔにスライドする。これにより、第１切り欠き部１３ｄを一方の雄ねじ９ｍｓの首部に導入できる（図４（Ｂ）参照）。
【００５１】
次に、図１又は図３を参照して、一方の雄ねじ９ｍｓを中心に、封印具１０を反時計方向に略９０度、旋回することで、天板１１は、カバー９２の中央部を上面Ｓｔ側から覆うことができる。又、他方の雄ねじ９ｍｓを予め僅かに弛緩しておくことで、第２切り欠き部１４ｄを他方の雄ねじ９ｍｓの首部に導入できる（図４（Ａ）参照）。
【００５２】
次に、図４（Ａ）を参照して、他方の雄ねじ９ｍｓの頭部に貫通した挿通孔９ｍｈに封印ワイヤ８２を挿通する。次に、封印ワイヤ８２の両端部を開口１４ｈに挿通する。次に、封印鉛８３を用いて、封印ワイヤ８２の両端部を圧着する。これにより、開口１４ｈを通過した封印ワイヤ８２の両端部は、戻り困難に封印できる。そして、封印具１０の一連の取り付け作業を終了する。
【００５３】
図１から図４を参照すると、実施形態による封印具１０は、本体９１の端部に配置した端子部９１ｔを覆うカバー９２を本体９１に固定できる一対の封印用の雄ねじ９ｍｓ・９ｍｓに架橋でき、一端側は、一方の封印用の雄ねじ９ｍｓの頭部を覆い、他端側は、他方の封印用の雄ねじ９ｍｓの頭部との干渉を避ける形状に封印具１０を構成すると共に、封印具１０の他端には、他方の封印用の雄ねじ９ｍｓを係留した封印ワイヤ８２が戻り困難に挿通できる開口１４ｈを設けているので、スマートメータ９の左右の２カ所を封印することなく、１カ所でカバー９２を封印できる。
【００５４】
本発明によるスマートメータの封印具は、次のような効果が期待される。
（１）離間した左右の封印装置同士を封印ワイヤで通さなくてもよい。
（２）封印ワイヤ及び封印具の使用量を最小限にすることができる。
（３）封印具を再利用できる。
（４）封印作業を容易に実施できる。
【００５５】
本発明は、端子部を覆うカバーを備えたスマートメータを好適に封印するスマートメータの封印具を開示したが、本発明の封印具は、スマートメータに限定されることなく、他の分野でも応用されることが期待される。
【符号の説明】
【００５６】
９  スマートメータ
９ｍｓ・９ｍｓ  一対の封印用の雄ねじ
１０  封印具（スマートメータの封印具）
１１  天板
１２ａ・１２ｂ  一組の脚片
１３  第１台座片
１３ｄ  第１切り欠き部
１４  第２台座片
１４ｄ  第２切り欠き部
１４ｈ  開口
８２  封印ワイヤ
９１  本体（スマートメータの本体）
９１ｔ  端子部（スマートメータの端子部）
９２  カバー（スマートメータのカバー）
【図１】
2020016580.tif 000003
【図２】
2020016580.tif 000004
【図３】
2020016580.tif 000005
【図４】
2020016580.tif 000006
【図５】
2020016580.tif 000007
【図６】
2020016580.tif 000008
【図７】
2020016580.tif 000009
【図８】
2020016580.tif 000010